(57)【特許請求の範囲】
【請求項１】
高圧空気流を発生する高圧空気流発生装置と、
前記高圧空気流発生装置の高速噴流により濡れた手を乾燥させる手乾燥室と、
前記手乾燥室内を照らす照明灯を備え、
前記手乾燥室は、
天面に手挿入口を開口し、
前記手乾燥室の前記手挿入口付近に前記高圧空気流発生装置からの高速噴流を吹き出す噴出孔と、
前記手乾燥室への使用者の手の挿入状態を検出するセンサを設け、
前記センサは前記噴出孔よりも上方に設けられ、
前記照明灯は前記手乾燥室内の使用者側壁面において前記噴出孔よりも上方に設けられ、前記照明灯の照射範囲は前記センサの手検出範囲よりも下方を向いた範囲を含み、
前記センサが手の挿入を検出した時に前記高圧空気流発生装置が運転を開始し、
前記高圧空気流発生装置の運転開始時は前記照明灯を点灯状態とし、
前記高圧空気流発生装置の運転が所定時間以上経過したときに、前記照明灯を点滅状態とすることを特徴とする手乾燥装置。
【請求項２】
前記高圧空気流発生装置の運転時間の長さに比例して、前記照明灯の点滅の間隔が徐々に短くなることを特徴とする請求項１記載の手乾燥装置。
【請求項３】
前記照明灯の点滅後、前記照明灯を消灯することを特徴とする請求項１または２に記載の手乾燥装置。
【請求項４】
前記センサが手の挿入を検出する前の前記照明灯の照度を、前記センサが手の挿入を検出した後の照度よりも暗くすることを特徴とする請求項１から請求項３のいずれかに記載の手乾燥装置。
【請求項５】
前記センサが一定時間以上連続して手の挿入を未検出のときに前記照明灯を消灯することを特徴とする請求項１から請求項４のいずれかに記載の手乾燥装置。
【請求項６】
前記照明灯への電源を入切する照明灯スイッチを備え、前記照明灯スイッチが切時は前記照明灯が点灯しないことを特徴とする請求項１から請求項５のいずれかに記載の手乾燥装置。
【発明の詳細な説明】
【技術分野】
【０００１】
本発明は、水洗い等で濡れた手を乾燥させるために、洗面所やトイレ、キッチン等で使用する手乾燥装置に関する。
【背景技術】
【０００２】
従来の手乾燥装置に関しては、手を差し入れたり、抜き出したりするなどの使用手順を示した複数の案内表示図を、使用者が視認できる本体の天面側平面部に配置し、各案内表示図自体を高圧空気流発生装置の運転時間に応じて順番に点灯させることで、案内表示図の記載内容を使用者に順番に目視確認させ、使用手順を喚起したものが知られている。（例えば、特許文献１参照）。
【０００３】
以下、その従来例について図５、図６を参照しながら説明する。
【０００４】
図５に示すように、従来の手乾燥装置は外部に向かって開口した手挿入口１０１から手１０２を差し入れたり、抜き出したりできる手乾燥室１０３と、高圧空気流を発生する高圧空気流発生装置１０４を備え、手挿入口１０１近傍には、高圧空気流発生装置１０４より発生した高圧空気流を手乾燥室１０３内に向けて送出する噴出孔１０５と、使用者の手の挿入状態を検出するセンサ１０６が備えられている。
【０００５】
手乾燥室１０３に手を挿入するとセンサ１０６により手の挿入を検出し、その検出により高圧空気流発生装置１０４が運転される。高圧空気流発生装置１０４を運転すると、吸込口１０７より吸引した空気１０８が高圧空気流発生装置１０４を通過して、高速噴流となり噴出孔１０５より手に向って送出される。噴出孔１０５より手に向って送出された高速噴流により手洗い後の濡れた手の水分を乾燥させる仕組みである。
【０００６】
図６に示すように、手挿入口１０１近傍の本体１０９の天面側平面部１１０には、使用手順を示した複数の案内表示図１１１があり、各案内表示図１１１自体を高圧空気流発生装置１０４の運転時間に応じて順番に点灯することで、案内表示図１１１の記載内容を使用者に順番に目視確認させ、使用手順を喚起する仕組みである。
【先行技術文献】
【特許文献】
【０００７】
【特許文献１】特開平６−６２９８１号公報
【発明の概要】
【発明が解決しようとする課題】
【０００８】
ここで、このような手乾燥装置においては、手を挿入したときに使用者に対して閉塞感
を与えないようにするために、大きな手乾燥室が求められている。
【０００９】
従来の手乾燥装置では、本体の大きさをそのままにして手乾燥室を広くしたい場合、本体の天面側平面部の面積が狭くなり、案内表示図が小さくなるといった課題があり、使用者に手の差し入れや抜き出し等の使用手順の喚起が充分に実施できなかった。さらに、案内表示図の記載内容の意図を使用者が読み取り、理解する必要があるため、手の乾燥が完了した後も必要以上に運転を続けてしまい、不要な消費電力が発生するという課題があった。
【００１０】
本発明は、このような従来の課題を解決するものであり、手乾燥室の奥側内壁面の明るさを変化させ、使用者から視認しやすくすることで、手乾燥装置の本体の大きさを拡大することなく手乾燥室を広くしたい場合においても、手を手乾燥室に差し入れたり引き出したりする作業を喚起して、手の乾燥が完了した後の必要以上の運転を抑えることで低消費電力化ができる手乾燥装置を提供することを目的とする。
【課題を解決するための手段】
【００１１】
本発明の手乾燥装置は、上記目的を達成するために、
高圧空気流を発生する高圧空気流発生装置と、前記高圧空気流発生装置の高速噴流により濡れた手を乾燥させる手乾燥室と、前記手乾燥室内を照らす照明灯を備え、前記手乾燥室は天面に手挿入口を開口し、前記手乾燥室の前記手挿入口付近に前記高圧空気流発生装置からの高速噴流を吹き出す噴出孔と、前記手乾燥室への使用者の手の挿入状態を検出するセンサを設け、前記センサが手の挿入を検出した時に前記高圧空気流発生装置が運転を開始し、前記高圧空気流発生装置の運転開始時は前記照明灯を点灯状態とし、前記高圧空気流発生装置の運転が所定時間以上経過したときに、前記照明灯を点滅状態としたものである。
【発明の効果】
【００１２】
本発明によれば、高圧空気流を発生する高圧空気流発生装置と、前記高圧空気流発生装置の高速噴流により濡れた手を乾燥させる手乾燥室と、前記手乾燥室内を照らす照明灯を備え、前記手乾燥室は天面に手挿入口を開口し、前記手乾燥室の前記手挿入口付近に前記高圧空気流発生装置からの高速噴流を吹き出す噴出孔と、前記手乾燥室への使用者の手の挿入状態を検出するセンサを設け、前記センサが手の挿入を検出した時に前記高圧空気流発生装置が運転を開始し、前記高圧空気流発生装置の運転開始時は前記照明灯を点灯状態とし、前記高圧空気流発生装置の運転が所定時間以上経過したときに、前記照明灯を点滅状態とすることにより、使用者の影により手乾燥室が暗くなりやすい場合でも照明灯により手乾燥室を明るく照らすことができるため、手乾燥室が開放的に感じられるとともに、手乾燥室の内壁面に手が触れる不安感がなく、手を差し入れやすいよう喚起できることとなる。そして高圧空気流発生装置の運転が所定の時間以上経過して手が乾燥した状態となった後に照明灯を点滅状態とすることにより、手の乾燥後に手乾燥室の明るさが暗くなるため、手乾燥室が閉鎖的に感じられるとともに、手乾燥室の内壁面に手が触れる不安感から、手を抜き出すよう喚起できることとなる。
【００１３】
さらに、使用者からの視野方向に対向する面となる奥側内壁面全体を照明灯で照らすことにより、手乾燥室内の明るさの状態を使用者が確認しやすくなる。それにより手乾燥装置の本体の大きさを拡大することなく手乾燥室を広くしたい場合においても、手を手乾燥室に差し入れたり引き出したりする作業を喚起して、手の乾燥後の必要以上の運転を抑え、低消費電力化ができるという効果がある手乾燥装置を提供することができる。
【図面の簡単な説明】
【００１４】
【図１】本発明の実施の形態１の手乾燥装置の側面断面図
【図２】同手乾燥装置の動作をあらわすタイムチャート
【図３】本発明の実施の形態２の手乾燥装置の動作をあらわすタイムチャート
【図４】本発明の実施の形態３の手乾燥装置の側面断面図
【図５】従来の手乾燥装置の側面断面図
【図６】従来の手乾燥装置の斜視図
【発明を実施するための形態】
【００１５】
本発明に係る手乾燥装置は、高圧空気流を発生する高圧空気流発生装置と、前記高圧空気流発生装置の高速噴流により濡れた手を乾燥させる手乾燥室と、前記手乾燥室内を照らす照明灯を備え、前記手乾燥室は天面に手挿入口を開口し、前記手乾燥室の前記手挿入口付近に前記高圧空気流発生装置からの高速噴流を吹き出す噴出孔と、前記手乾燥室への使用者の手の挿入状態を検出するセンサを設け、前記センサは前記噴出孔よりも上方に設けられ、前記照明灯は前記手乾燥室内の使用者側壁面において前記噴出孔よりも上方に設けられ、前記照明灯の照射範囲は前記センサの手検出範囲よりも下方を向いた範囲を含み、前記センサが手の挿入を検出した時に前記高圧空気流発生装置が運転を開始し、前記高圧空気流発生装置の運転開始時は前記照明灯を点灯状態とし、前記高圧空気流発生装置の運転が所定時間以上経過したときに、前記照明灯を点滅状態としたものであり、使用者の影により手乾燥室が暗くなりやすい場合でも照明灯により手乾燥室を明るく照らすことができるため、手乾燥室が開放的に感じられるとともに、手乾燥室の内壁面に手が触れる不安感がなく、手を差し入れやすいよう喚起できることとなる。そして高圧空気流発生装置の運転が所定時間以上経過したときに、照明灯を点滅状態とすることにより、手の乾燥後に手乾燥室の明るさが暗くなるため、手乾燥室が閉鎖的に感じられるとともに、手乾燥室の内壁面に手が触れる不安感から、手を抜き出すよう喚起できることとなる。
【００１６】
さらに、使用者からの視野方向に対向する面となる奥側内壁面全体を照明灯で照らすことにより、手乾燥室内の明るさの状態を使用者が確認しやすくなるといった作用を有する。
【００１７】
また、前記高圧空気流発生装置の運転時間の長さに比例して、前記照明灯の点滅の間隔が徐々に短くなるようにしたものであり、手が乾燥する度合い（時間）に比例して、照明灯が消灯している時間が長くなり手乾燥室の明るさが暗くなるため、手乾燥室が閉鎖的に感じられるとともに、手乾燥室の内壁面に手が触れる不安感から、手を抜き出すよう喚起できるという作用を有する。
【００１８】
また、前記照明灯の点滅後、前記照明灯を消灯するようにしたものであり、手の乾燥時間終了時点で手乾燥室の明るさが暗くなるため、手乾燥室が閉鎖的に感じられるとともに、手乾燥室の内壁面に手が触れる不安感から、手を抜き出すよう喚起できるという作用を有する。
【００１９】
また、前記センサが手の挿入を検出する前の前記照明灯の照度を、前記センサが手の挿入を検出した後の照度よりも暗くするようにしたものであり、センサが手を検出する前の照明灯の照度を暗くすることにより、未使用時の照明灯による消費電力を低減することができるという作用を有する。
【００２０】
また、前記センサが一定時間以上連続して手の挿入を未検出のときに前記照明灯を消灯するようにしたものであり、未使用時の照明灯による消費電力を低減することができるという作用を有する。
【００２１】
また、前記照明灯への電源を入切する照明灯スイッチを備え、前記照明灯スイッチが切時は前記照明灯が点灯しないようにしたものであり、照明灯の点灯、消灯を選択でき、長
期間手乾燥装置を使用しない休日などに照明灯を消灯できるため、照明灯による消費電力を低減することができるという作用を有する。
【００２２】
以下、本発明の実施の形態について、図面を参照しながら説明する。
【００２３】
（実施の形態１）
図１に示すように、本実施の形態による手乾燥装置は、外部に向かって開口した手挿入口１から手２を差し入れたり、抜き出したりできる手乾燥室３と、高速噴流を発生する高圧空気流発生装置４を備えている。手挿入口１近傍には、高圧空気流発生装置４より発生した高速噴流を手乾燥室３内に向けて送出する噴出孔５と、使用者の手の挿入状態を検出するセンサ６が備えられている。センサ６は噴出孔５よりも手挿入口１側に設置されている。手洗い後の濡れた手２を手乾燥室３に挿入するとセンサ６により手の挿入を検出し、その検出により高圧空気流発生装置４が運転される。高圧空気流発生装置４を運転すると、吸込口７より吸引した吸込空気８が、フィルター９、吸込風路１０を介して手乾燥装置の内部に流入し、高圧空気流発生装置４によって昇圧されて、高速噴流となり噴出孔５より手に向って送出される。噴出孔５より手に向って送出された高速噴流は、手洗い後の濡れた手２の水分を乾燥させる。手乾燥室３から手を抜き出し、センサ６が手の挿入を非検出になると高圧空気流発生装置４の運転が止まる仕組みである。
【００２４】
この手乾燥装置は、洗面所の壁面１１−１などに取り付けられ、正面１１−２に向かい合って使用者１２が立って、手挿入口１から下方に向かって手２を挿入するようになっている。ここで無理のない自然な作業姿勢から、手２を手挿入口１から挿入すると、手の平側１３を手前（正面１１−２側）にして挿入する場合が多い傾向である。手乾燥室３内の使用者側壁面（手前側内壁面１４−１）には、手乾燥室３内の反使用者壁面（奥側内壁面１４−２）に向けて光を照射して奥側内壁面１４−２全体を照らす照明灯１５（照射範囲１６）を備えている。高圧空気流発生装置４、照明灯１５はセンサ６による手の挿入の検出により動作を制御する制御基板１７と接続されている。図２に高圧空気流発生装置４、センサ６、照明灯１５の動作をあらわすタイムチャートを示す。高圧空気流発生装置４の運転開始時は照明灯１５が点灯状態であり、高圧空気流発生装置４の運転時間が所定時間経過した後に、照明灯１５が点滅を開始する。このとき、所定時間とは、２〜１０秒程度の時間であり、高圧空気流発生装置４の性能などから予め設定する値である。そして、手を挿入してからの高圧空気流発生装置４の運転時間の長さに比例して点滅の間隔が徐々に短くなり、目安の最長乾燥時間になると消灯する。手２が手乾燥室３から抜き出され、高圧空気流発生装置４の運転が止まった後、照明灯１５は再点灯する制御となっている。なお、照明灯１５が消灯する前に手２を手乾燥室３から抜き出した場合は、高圧空気流発生装置４の運転が止まり、照明灯１５は点灯したままの状態である。
【００２５】
上記構成による効果・作用について説明する。高圧空気流発生装置４の運転開始時は照明灯１５が点灯状態であるため、使用者１２の影により手乾燥室３内部が暗くなりやすい場合でも照明灯１５により手乾燥室３内を明るく照らすことができる。それにより手乾燥室３が開放的に感じられるとともに、手乾燥室３の内壁面に手２が触れる不安感がなく、使用者１２が手２を差し入れやすいよう喚起できることとなる。そして高圧空気流発生装置４の運転時間が所定時間（２〜１０秒）経過した後に、照明灯１５が点滅を開始することにより、手の乾燥後に手乾燥室３の明るさを暗くすることができる。それにより手乾燥室３が閉鎖的に感じられるとともに、手乾燥室３の内壁面に手２が触れる不安感から、使用者１２が手２を抜き出すよう喚起できることとなる。
【００２６】
また、高圧空気流発生装置４の運転時間の長さに比例して点滅の間隔が徐々に短くなることにより、手２の乾燥度合い（時間）に比例して、照明灯１５が消灯している時間が長くなり、手２の乾燥後に手乾燥室３の明るさを暗くすることができる。それにより手乾燥
室３が閉鎖的に感じられるとともに、手乾燥室３の内壁面に手２が触れる不安感から、使用者１２が手２を抜き出すよう喚起できることとなる。
【００２７】
また、目安の最長乾燥時間になると照明灯１５を消灯することにより、手２の乾燥後に手乾燥室３の明るさを暗くすることができる。それにより手乾燥室３が閉鎖的に感じられるとともに、手乾燥室３の内壁面に手２が触れる不安感から、使用者１２が手２を抜き出すよう喚起できることとなる。
【００２８】
なお、照明灯１５は、使用者１２の視野方向１８に対向する面となる奥側内壁面１４−２全体を照らし、手乾燥室３内の明るさの状態を使用者１２が確認しやすくなるよう手前側内壁面１４−１に配置さている。
【００２９】
このように本発明の実施の形態１の手乾燥装置によれば、手乾燥装置の本体の大きさをそのままにして手乾燥室３を広くしたい場合においても、手２を手乾燥室３に差し入れたり引き出したりする作業を喚起して、手２の乾燥後の必要以上の運転を抑え、低消費電力化ができることとなる。
【００３０】
また、センサ６が手の挿入を検出する前に照明灯１５を点灯し、手挿入前の照明灯１５の照度を、センサ６が手の挿入を検出した後の照度よりも暗くし、センサ６が一定時間（１〜３０分）以上連続して手の挿入を未検出のときに照明灯１５を消灯する構成としてもよい。図３に高圧空気流発生装置４、センサ６、照明灯１５の動作をあらわすタイムチャートを示す。
【００３１】
上記構成による効果・作用について説明する。手２を乾燥させる仕組みに関しては、本実施の形態で既に説明した通りである。
【００３２】
センサ６が手の挿入を検出する前の照明灯１５の照度を暗くし、センサ６が一定時間（１〜３０分）以上連続して手の挿入を未検出のときに消灯することで、手乾燥装置未使用時の照明灯１５による消費電力を低減することができる。なお、一定時間手の挿入を未検出のときに消灯する制御に関しては、使用者１２が１〜３０分の間で時間を設定できるようになっている。
【００３３】
このような構成によれば、手乾燥装置を未使用時の照明灯１５の必要以上の消費電力を抑え、低消費電力化ができることとなる。
【００３４】
また、図４に示すように、照明灯１５への電源を入切する照明灯スイッチ１９を照明灯１５と制御基板１７との接続の間に備え、照明灯スイッチ１９が切時は照明灯１５が点灯しない構成としてもよい。
【００３５】
上記構成による効果・作用について説明する。照明灯１５の点灯、消灯を選択でき、長期間手乾燥装置を使用しない休日などに照明灯１５を消灯できるため、照明灯１５による消費電力を低減することができる。
【００３６】
このような構成によれば、手乾燥装置を未使用時の照明灯１５の必要以上の消費電力を抑え、低消費電力化ができることとなる。
【産業上の利用可能性】
【００３７】
手乾燥装置などの手の乾燥目的以外に、噴出孔構造を用いた設備乾燥機器への転用で、短時間で物体を乾燥させることができる工業用の乾燥用途にも適用できる。
【符号の説明】
【００３８】
１  手挿入口
２  手
３  手乾燥室
４  高圧空気流発生装置
５  噴出孔
６  センサ
１５  照明灯
１９  照明灯スイッチ
【図１】
0005866514.tif 000002
【図２】
0005866514.tif 000003
【図３】
0005866514.tif 000004
【図４】
0005866514.tif 000005
【図５】
0005866514.tif 000006
【図６】
0005866514.tif 000007